(57)【特許請求の範囲】
【請求項１】
レンズホルダー内に位置決めされ、その前面にレンズ押さえを被せて保持された撮影レンズや、撮影機構が組み付けられた本体基部に、前後から前カバーと後カバーとを被せてなり、前記レンズ押さえに、撮影レンズへの入射光を制限する開口が形成されているとともに、前記前カバーに、撮影レンズを露呈させるレンズ開口が形成されたレンズ付きフイルムユニットにおいて、
前カバーを透明な樹脂により成形するとともに、レンズ押さえに形成された前記開口の周縁部に、前記レンズ開口内に嵌まり込み、レンズ開口の内周壁面を覆う遮光壁を設けたことを特徴とするレンズ付きフイルムユニット。
【請求項２】
前記レンズ押さえは、前記前カバーを本体基部の前面に位置決めした時に、前記レンズホルダーとの間で撮影レンズを挟持する押さえ部を備えていることを特徴とする請求項１記載のレンズ付きフイルムユニット。
【請求項３】
前記レンズ押さえは、前記前カバーの内壁面に当接して、前面側への移動を規制する重なり部を備えていることを特徴とする請求項２記載のレンズ付きフイルムユニット。
【請求項４】
前記レンズ押さえと前カバーとに、凸部と凹部とからなる一対の圧入係合部を設けたことを特徴とする請求項２記載のレンズ付きフイルムユニット。
【発明の詳細な説明】
【０００１】
【発明の属する技術分野】
本発明は、前カバーを透明化したレンズ付きフイルムユニットに関するものである。
【０００２】
【従来の技術】
いつでも手軽に写真撮影を楽しむことができるように、簡単な撮影機構を備えたユニット本体に予め未露光の写真フイルムを内蔵させたレンズ付きフイルムユニットが市販されている。レンズ付きフイルムユニットは、購入したその場ですぐに写真撮影ができ、また撮影後にもそのまま現像取扱店に出せばよいという簡便性から、一般に広く利用されている。
【０００３】
図６は、レンズ付きフイルムユニットの一例を示すものである。レンズ付きフイルムユニット１は、ユニット本体１０の中央部に外装用のラベル２を巻き付けて構成される。ユニット本体１０には、前面に撮影レンズ３，ファインダ対物窓４ａ，ストロボ発光窓５，充電ボタン６が、また上面にシャッタボタン７，巻上げノブ８，フイルムカウンタ窓９が、さらに背面にファインダ接眼窓４ｂがそれぞれ設けられている。ラベル２はレンズ付きフイルムユニット１の外観を綺麗にするためのもので、表面に化粧用の印刷が施されている。ラベル２の所要部には、ユニット本体１０に設けられた撮影レンズ３，ファインダ対物窓４ａ，フイルムカウンタ窓９，ファインダ接眼窓４ｂを外部に露呈させるための開口が設けられており、このラベル２をユニット本体１０に巻き付けたままの状態で撮影操作ができるようになっている。
【０００４】
図７に示すように、ユニット本体１０は、本体基部１１に前後から前カバー１２と後カバー１３とを被せて構成される。本体基部１１の両側部には、カートリッジ本体１４を収納するカートリッジ室１５と、写真フイルム１６をロール状にして収納するフイルムロール室１７とが一体に設けられており、これらの間には写真フイルム１６への露光範囲を規定するためのアパーチャー１８が形成されている。カートリッジ室１５及びフイルムロール室１７の底部は開口となっており、後カバー１３の底辺に一体に設けた底蓋１９ａ，１９ｂによってそれぞれ塞がれる。カートリッジ室１５の上面には巻上げノブ８が取り付けられる。
【０００５】
本体基部１１には、アパーチャー１８の前面に露光ユニット２０が、またフイルムロール室１７側の上方にストロボユニット３０が取り付けられ、前カバー１２と後カバー１３とで挟持される。露光ユニット２０は、シャッタベース２１に撮影レンズ３，ファインダ光学系，シャッタ機構などを一体に組み付けてユニット化したもので、対物レンズ２２，接眼レンズ２３，フイルムカウンタ盤２４などが組み付けられている。
【０００６】
図８に示すように、撮影レンズ３は、例えば２枚の樹脂レンズ３ａ，３ｂからなり、シャッタベース２１の前面に設けられたレンズホルダー２５内に保持される。レンズホルダー２５の前面にはレンズ押さえ２６が被せられ、このレンズ押さえ２６とレンズホルダー２５との間で撮影レンズ３が挟持される。レンズ押さえ２６には、撮影レンズ３に入射する被写体光を制限するための開口２７が形成されている。シャッタベース２１及びレンズ押さえ２６は遮光性を有する樹脂により作製され、これらによって撮影レンズ３と写真フイルム１６との間の撮影光路が光密に保たれる。
【０００７】
図７において、ストロボユニット３０は、１枚のプリント基板３１に充電及び放電の制御を行うためのストロボ回路を形成して構成される。プリント基板３１には、ストロボ光を放出するストロボ発光部３２，メインコンデンサ３３，電源用の電池３４を保持するための電池ホルダー３５，充電スイッチ３６，及びシンクロスイッチ３７が取り付けられている。充電スイッチ３６は、前カバー１２の前面に露呈させて設けられた充電ボタン６を操作することでＯＮ／ＯＦＦされる。充電スイッチ３６がＯＮされると、メインコデンサ３３が充電される。シンクロスイッチ３７は、上下に並べて配された２枚の接片で構成され、シャッタ羽根が全開した瞬間に２枚の接片が接触してＯＮとなる。充電スイッチ３６がＯＮとされているときにシンクロスイッチ３７がＯＮとなると、メインコデンサ３３に充電された電荷によってストロボ発光部３２よりストロボ光が放射される。
【０００８】
前カバー１２には、前面にレンズ開口２８，ファインダ対物窓４ａ，ストロボ発光窓５が、また上面にはシャッタボタン７とフイルムカウンタ窓９とが形成されている。また、後カバー１３にはファインダ接眼窓４ｂと開口２９とが形成されている。
【０００９】
本体基部１１に前カバー１２及び後カバー１３を被せると、露光ユニット２０に組み付けられた撮影レンズ３がレンズ開口２８から露呈される（図７参照）。また、対物レンズ２２及び接眼レンズ２３がファインダ対物窓４ａ及びファインダ接眼窓４ｂから、フイルムカウンタ盤２４がフイルムカウンタ窓９からそれぞれ露呈される。さらに、カートリッジ室１５に取り付けられた巻上げノブ８の一部が開口２９から突出する。写真フイルム１６は、本体基部１１と後カバー１３との間で光密に収納される。
【００１０】
ところで、最近いろいろな製品において、外観の透明化を図ったスケルトンタイプのものを見かけるようになった。レンズ付きフイルムユニットにおいても、品揃えの点からスケルトンタイプのものが望まれている。レンズ付きフイルムユニットは感光材料である写真フイルムを使用することから、写真フイルムの収納部と撮影光路を構成している本体基部，後カバー，及び露光ユニットの遮光性を保持したまま、前カバーのみが透明化される。
【００１１】
【発明が解決しようとする課題】
ところが、上記構成のユニット本体１０において前カバー１２を透明化すると、前カバー１２が外光に曝されたときに、撮影レンズ３に近接するレンズ開口２８の内周壁面２８ａ（図７参照）が光り、この光が撮影レンズ３に入射してフレア現象を引き起こす。特に、ストロボ装置を内蔵するレンズ付きフイルムユニットでは、ストロボ発光窓５から放射される高輝度のストロボ光が、前カバー１２を伝ってレンズ開口２８側に集まり、この強い光が内周壁面２８ａから撮影レンズ３に入射する。この場合、フレア現象を引き起こすだけではなく、写真フイルム１６に前カバー１２の色が写し込まれることが危惧される。
【００１２】
本発明は上記の事情を考慮してなされたもので、前カバーの透明化を図りながらも、フレア現象の発生を抑えることができるレンズ付きフイルムユニットを提供することを目的とする。
【００１３】
【課題を解決するための手段】
上記目的を達成するために、本発明のレンズ付きフイルムユニットは、前カバーを透明な樹脂により成形するとともに、レンズ押さえに形成された開口の周縁部に、レンズ開口内に嵌まり込み、レンズ開口の内周壁面を覆う遮光壁を設けるものである。
【００１４】
また、レンズ押さえには、前カバーを本体基部の前面に位置決めした時に、レンズホルダーとの間で撮影レンズを挟持する押さえ部を設けるものである。この場合は、レンズ押さえに、前カバーの内壁面に当接して、前面側への移動を規制する重なり部を設ける。また、レンズ押さえと前カバーとに、凸部と凹部とからなる一対の圧入係合部を設ける。
【００１５】
【発明の実施の形態】
図３は、本発明を実施したレンズ付きフイルムユニットのユニット本体を示すものであり、図７及び図８に示したユニット本体１０と同じ部材には、共通の符号を付してある。ユニット本体４０は、カートリッジ室１５及びフイルムロール室１７が設けられた本体基部１１に、前後から前カバー４２と後カバー１３とを被せて構成される。カートリッジ室１５とフイルムロール室１７との間に形成されたアパーチャー１８の前面には露光ユニット４５が取り付けられ、前カバー４２と後カバー１３とで挟持される。露光ユニット４５は、シャッタベースに撮影レンズ３，ファインダ光学系，シャッタ機構などを一体に組み付けてユニット化したものである。撮影レンズ３は、前カバー４２に形成されたレンズ開口２８から露呈される。
【００１６】
写真フイルム１６の収納部を構成している本体基部１１及び後カバー１３と、撮影レンズ３と写真フイルム１６との間の撮影光路を構成している露光ユニット４５は、遮光性を有する樹脂により作製される。また、ユニット本体４０の外観を決定する前カバー４２は、透明な樹脂により作製される。
【００１７】
図１に示すように、撮影レンズ３は２枚の樹脂レンズ３ａ，３ｂからなり、シャッタベース２１の前面に設けられたレンズホルダー２５内に保持されている。レンズホルダー２５の前面には、レンズ押さえ４６が被せられ、爪２５ａと穴４６ａとの係合によって固定される。これにより、撮影レンズ３が、レンズ押さえ４６とレンズホルダー２５との間で挟持される。シャッタベース２１，レンズホルダー２５，及びレンズ押さえ４６は、遮光性を有する樹脂により作製され、撮影レンズ３の撮影光路を光密に覆っている。
【００１８】
レンズ押さえ４６の前面部には、撮影レンズ３に入射する被写体光を制限するための開口４７が形成されている。開口４７の周縁部には、前カバー４２に形成されたレンズ開口２８内に嵌まり込み、レンズ開口２８の内周壁面２８ａを全面にわたって覆う遮光壁４８が突設されている。なお、遮光壁４８及びレンズ開口２８は、撮影レンズ３に向かう被写体光の光路を遮ることがないように構成される。
【００１９】
上記のように構成されたユニット本体４０では、図２に拡大して示すように、遮光壁４８の外周壁面４８ａがレンズ開口２８の内周壁面２８ａに対面する。これにより、透明な前カバー４２が外光に曝され、レンズ開口２８の内周壁面２８ａが光ったとしても、この放射光４９の光路が遮光壁４８によって遮られ、撮影レンズ３に入射するようなことはない。
【００２０】
図４は、本発明の第２実施形態を示すもので、撮影レンズの組込み部を示すものである。撮影レンズ３は１枚の樹脂レンズからなり、シャッタベース２１の前面に設けられたレンズホルダー２５内に保持されている。撮影レンズ３の前面にはレンズ押さえ５０が被せられ、さらにこの前面に、透明な前カバー４２が被せられる。レンズ押さえ５０は遮光性を有する物質、例えば樹脂により作製され、この前面に前カバー４２が被せられた時に、レンズ開口２８内に嵌まり込んで、周壁５０ａでレンズ開口２８の内周壁面２８ａを覆う。
【００２１】
レンズ押さえ５０の前面中央部には、撮影レンズ３に入射する被写体光を制限するための開口５１が形成されている。また、遮光枠５０の周端縁には、レンズ開口２８の周縁部に、前カバー４２の内壁側から当接する重なり部５２が設けられている。さらに、レンズ押さえ５０には、撮影レンズ３の周縁部３ｃに当接して、レンズホルダー２５との間で撮影レンズ３を挟持する押さえ部５３が設けられている。
【００２２】
図５に拡大して示すように、重なり部５２と前カバー４２との当接面には、一対の突起５５と穴５６とが設けられている。レンズ開口２８にレンズ押さえ５０を嵌め込み、穴５６に突起５５を押し込むと、レンズ押さえ５０が前カバー４２に固定される。なお、図示しないが、一対の突起５５及び穴５６は、レンズ開口２８の周りに等間隔に複数設けられている。
【００２３】
上記の構成によれば、レンズ押さえ５０をレンズ開口２８内に嵌め込むと、レンズ開口２８の内周壁面２８ａがレンズ押さえ５０の周壁５０ａによって完全に覆われる。これにより、透明な前カバー４２が外光に曝され、レンズ開口２８の内周壁面２８ａが光ったとしても、この放射光の光路がレンズ押さえ５０によって遮られて撮影レンズ３に入射しないので、フレア現象の発生が抑えられる。
【００２４】
また、前カバー４２を撮影レンズ３の前面に被せて固定すると、レンズ押さえ５０は、重なり部５２によって前面側への移動が、また押さえ部５３によって背面側への移動が規制される。したがって、撮影レンズ３は、ガタツキを生じることなく、レンズ押さえ５０とレンズホルダー２５との間に確実に固定される。
【００２５】
また、レンズ押さえ５０と前カバー４２とに一対の突起５５と穴５６とが設けられているので、レンズ押さえ５０を前カバー４２に予め組み付けておくことができる。これにより、ユニット本体の組立工程内では、前カバー４２とレンズ押さえ５０とを一体部品として取り扱うことができる。また、組立中においては、レンズ押さえ５０の位置ズレが防止され、組立適性が向上する。
【００２６】
なお、上記実施形態では、レンズ押さえの前カバーへの固定を、突起と穴との嵌め合わせによって部分的に行ったが、例えばレンズ開口を囲むように輪帯状のリブと溝とを設け、レンズ押さえの縁部とレンズ開口の周縁部とを全周にわたって係合させるようにしてもよい。これによれば、突起と穴との位置が合うように、レンズ押さえの向きを揃えてレンズ開口内に挿入する必要がなくなるので、レンズ押さえの嵌め込み作業がより簡単になる。
【００２７】
また、レンズ押さえの外径を、レンズ開口への嵌め込みが可能な最大径にし、レンズ押さえをレンズ開口内に押し込むようにしてもよい。これによれば、突起と穴、あるいはリブと溝のように、極めて小さな係合部を特別に形成する必要がないので、レンズ押さえや前カバーの成形適性が向上する。
【００２８】
また、上記実施形態では、基本的な撮影機構のみを備えたレンズ付きフイルムユニットに本発明を適用した例について説明したが、本発明は、全ての種類のレンズ付きフイルムユニットに適用することができる。特に、ストロボ装置を内蔵するレンズ付きフイルムユニットは、前カバーを透明化した場合、高輝度のストロボ光によってレンズ開口の内周壁面から放射される光も強くなるので、本発明を適用することが好ましい。
【００２９】
【発明の効果】
以上のように、本発明のレンズ付きフイルムユニットによれば、レンズ押さえに形成された開口の周縁部に、レンズ開口内に嵌まり込んでレンズ開口の内周壁面を覆う遮光壁を設けるので、透明な前カバーが外光に曝され、レンズ開口の内周壁面が光ったとしても、この放射光の光路が遮光壁によって遮られ、撮影レンズに入射することが防止される。
【図面の簡単な説明】
【図１】本発明を実施したユニット本体の撮影レンズ組込み部の断面図である。
【図２】図１に示したレンズ開口周辺部の説明図である。
【図３】本発明を実施したユニット本体の構成を示す概略図である。
【図４】撮影レンズ組込み部の別の構成例を示す概略図である。
【図５】図４に示したレンズ押さえと前カバーとの係合部を示す概略図である。
【図６】レンズ付きフイルムユニットの外観斜視図である。
【図７】図６に示したユニット本体の分解斜視図である。
【図８】図７に示した撮影レンズの組込み部の断面図である。
【符号の説明】
３  撮影レンズ
１０，４０  ユニット本体
１１  本体基部
１２，４２  前カバー
１３  後カバー
１６  写真フイルム
２０，４５  露光ユニット
２１  シャッタベース
２５  レンズホルダー
２６，４６，５０  レンズ押さえ
２７，４７，５１  開口
２８  レンズ開口
４８  遮光壁
５２  重なり部
５３  押さえ部
５５  突起
５６  穴
【図１】
0003832794.tif 000002
【図２】
0003832794.tif 000003
【図３】
0003832794.tif 000004
【図４】
0003832794.tif 000005
【図５】
0003832794.tif 000006
【図６】
0003832794.tif 000007
【図７】
0003832794.tif 000008
【図８】
0003832794.tif 000009